(57)【要約】【課題】ブロックへのガスケットの装着時のシール性能を向上させる。【解決手段】ブロックへのガスケットの装着構造は、流体流路１１を有するブロック１と、流体流路１１の開口部１３を囲む筒状のガスケット３とを備える。そして、ブロック１が、流体流路１１の開口部１３の径方向において開口部１３の外側にかつ前記ガスケットの軸方向一側部の内側に設けられた樹脂製の筒状壁部５（筒状内壁部３９）を有する。筒状壁部５（筒状内壁部３９）は、その少なくとも一部がガスケット３の軸方向一側部１７内に圧入されるように構成されるとともに、径方向に弾性変形可能に構成されている。【選択図】図１
2019143783.tif 000002
【特許請求の範囲】
【請求項１】
流体流路を有するブロックと、前記流体流路の開口部を囲む筒状のガスケットとを備えるブロックへのガスケットの装着構造であって、
前記ブロックは、前記流体流路の開口部の径方向において前記開口部の外側にかつ前記ガスケットの軸方向一側部の内側に設けられた樹脂製の筒状壁部を有し、
前記筒状壁部は、その少なくとも一部が前記ガスケットの軸方向一側部内に圧入されるように構成されるとともに、径方向に弾性変形可能に構成されている、ブロックへのガスケットの装着構造。
【請求項２】
前記筒状壁部の厚さは、０．７２ｍｍ〜６ｍｍの範囲内にある、請求項１に記載のブロックへのガスケットの装着構造。
【請求項３】
前記筒状壁部の軸方向長さは、１．７６ｍｍ〜１３．２ｍｍの範囲内にある、請求項１または請求項２に記載のブロックへのガスケットの装着構造。
【請求項４】
前記筒状壁部の内径は、２ｍｍ〜５０ｍｍの範囲内にあり、
前記筒状壁部の内径をｅとし、前記筒状壁部の厚さをｆとした場合に、前記筒状壁部の内径と前記筒状壁部の径方向の厚さとがそれぞれ以下の式（１）および式（２）で規定される範囲内にある、
（１）ｆ＝０．１０×ｅ＋１．０、
（２）ｆ＝０．０６×ｅ＋０．６、
請求項２に記載のブロックへのガスケットの装着構造。
【請求項５】
前記筒状壁部の内径は、２ｍｍ〜５０ｍｍの範囲内にあり、
前記筒状壁部の内径をｅとし、前記筒状壁部の軸方向長さをｇとした場合に、前記筒状壁部の内径と前記筒状壁部の軸方向長さとがそれぞれ以下の式（３）および式（４）で規定される範囲内にある、
（３）ｇ＝０．２１×ｅ＋２．７、
（４）ｇ＝０．１３×ｅ＋１．５、
請求項３に記載のブロックへのガスケットの装着構造。
【請求項６】
前記筒状壁部は、２００MＰａ〜３２００MＰａの弾性率を有する材料から構成されている、請求項１から請求項５のいずれか一項に記載のブロックへのガスケットの装着構造。
【発明の詳細な説明】
【技術分野】
【０００１】
本発明は、ブロックへのガスケットの装着構造に関する。
【背景技術】
【０００２】
従来、例えば特許文献１に記載のように、接着材を用いて基材にガスケットを装着する装着構造が知られている。
【先行技術文献】
【特許文献】
【０００３】
【特許文献１】特開２０１７−２５９９２号公報
【発明の概要】
【発明が解決しようとする課題】
【０００４】
内部に流体が流れる流体流路が形成されたブロックへのガスケットの装着構造としては、筒状のガスケットの軸方向一側部内に、ブロックにおける流体流路の開口部の周囲付近を圧入することにより、ガスケットを前記ブロックに装着するものが知られている。
【０００５】
この装着構造に関して、前記ブロックを金型を用いた樹脂成形によって製造する場合、前記圧入部分が前記ガスケットの軸方向一側部に円滑に受け入れられ得る凹形状に仕上がらないことがあった。
【０００６】
具体的には、断面真円筒形状に形成されたガスケットの軸方向一側部に対して、ブロック側の圧入部分が当該軸方向一側部に円滑に受け入れられ得る断面真円筒形状に仕上がらない（概して断面楕円形状に仕上がる）ことがあった。
【０００７】
その理由は、主に前記圧入部分の樹脂成形時に発生する樹脂材料の収縮（いわゆるヒケ）に起因すると考えられる。そして、この場合には、前記ガスケットの軸方向一側部に前記圧入部分を強制的に圧入することにより、前記ブロックと別のブロック等を接続することはできる。
【０００８】
しかしながら、前記ブロック側と前記ガスケット側の形状の相違により前記圧入部分を圧入した前記ガスケットの軸方向一側部にこの圧入部分と十分に馴染まない部分が生じて、両者の圧入領域に密着性が劣る個所ができ、これにより高いシール性能を得ることはできないという懸念があった。。
【０００９】
本発明は、このような問題に鑑みてなされたものであり、ブロックへのガスケットの装着時のシール性能を向上させることを目的とする。
【課題を解決するための手段】
【００１０】
本発明は、
流体流路を有するブロックと、前記流体流路の開口部を囲む筒状のガスケットとを備えるブロックへのガスケットの装着構造であって、
前記ブロックは、前記流体流路の開口部の径方向において前記開口部の外側にかつ前記ガスケットの軸方向一側部の内側に設けられた樹脂製の筒状壁部を有し、
前記筒状壁部は、その少なくとも一部が前記ガスケットの軸方向一側部内に圧入されるように構成されるとともに、径方向に弾性変形可能に構成されている、ブロックへのガスケットの装着構造である。
【００１１】
この構成によれば、前記ブロックの筒状壁部の少なくとも一部を前記ガスケットの軸方向一側部内に圧入して、前記ブロックに前記ガスケットを装着することができる。そしてその圧入に際し、前記ガスケットの軸方向一側部により前記筒状壁部を径方向に弾性変形させることが可能となる。そのため、前記ガスケットの軸方向一側部に対してこれに圧入される前記ブロックの筒状壁部の少なくとも一部の追従性を高めることができる。したがって、前記ブロックの筒状壁部の少なくとも一部の圧入後には、前記ガスケットの軸方向一側部と前記ブロックの筒状壁部の少なくとも一部とを略周方向全域において略均一の力で圧接させることが可能となる。よって、前記ブロックに前記ガスケットを装着したときにシール性能を発揮させつつ、そのシール性能を向上させることができる。
【００１２】
本発明の別の態様によれば、
前記筒状壁部の厚さは、０．７２ｍｍ〜６ｍｍの範囲内にある。
【００１３】
本発明の更なる態様によれば、
前記筒状壁部の軸方向長さは、１．７６ｍｍ〜１３．２ｍｍの範囲内にある。
【００１４】
本発明のまた別の態様によれば、
前記筒状壁部の内径は、２ｍｍ〜５０ｍｍの範囲内にあり、
前記筒状壁部の内径をｅとし、前記筒状壁部の厚さをｆとした場合に、前記筒状壁部の内径と前記筒状壁部の径方向の厚さとがそれぞれ以下の式（１）および式（２）で規定される範囲内にある。
（１）ｆ＝０．１０×ｅ＋１．０
（２）ｆ＝０．０６×ｅ＋０．６
【００１５】
本発明のまた別の態様によれば、
前記筒状壁部の内径は、２ｍｍ〜５０ｍｍの範囲内にあり、
前記筒状壁部の内径をｅとし、前記筒状壁部の軸方向長さをｇとした場合に、前記筒状壁部の内径と前記筒状壁部の軸方向長さとがそれぞれ以下の式（３）および式（４）で規定される範囲内にある。
（３）ｇ＝０．２１×ｅ＋２．７
（４）ｇ＝０．１３×ｅ＋１．５
【００１６】
本発明のまた別の態様によれば、
前記筒状壁部は、２００ＭＰａ〜３２００ＭＰａの弾性率を有する材料から構成されている。
【発明の効果】
【００１７】
本発明によれば、ブロックへのガスケットの装着時のシール性能を向上させることができる。
【図面の簡単な説明】
【００１８】
【図１】本発明の一実施形態に係るブロックへのガスケットの装着構造を示す断面図である。
【図２】図１の一部拡大図である。
【図３】図１におけるブロックの筒状壁部を軸方向から見た図である。
【図４】図３のＩ−Ｉ矢視断面図である。
【図５】図４の一部拡大図である。
【図６】図１におけるブロックの筒状壁部とガスケットの軸方向一側部との関係を示す第１の例の断面図である。
【図７】図１におけるブロックの筒状壁部の筒状外壁部の内径と厚さとの関係を示す図である。
【図８】図１におけるブロックの筒状壁部の筒状外壁部の内径と軸方向長さとの関係を示す図である。
【図９】図１におけるブロックの筒状壁部の筒状内壁部の内径と厚さとの関係を示す図である。
【図１０】図１におけるブロックの筒状壁部の筒状内壁部の内径と軸方向長さとの関係を示す図である。
【図１１】図１におけるブロックの筒状壁部の筒状外壁部の厚さと筒状内壁部の厚さとの関係を示す図である。
【図１２】図１におけるブロックの筒状壁部とガスケットの軸方向一側部との関係を示す第２の例の断面図である。
【図１３】図１におけるブロックの筒状壁部とガスケットの軸方向一側部との関係を示す第３の例の断面図である。
【図１４】図１におけるブロックの筒状壁部とガスケットの軸方向一側部との関係を示す第４の例の断面図である。
【図１５】図１におけるブロックの筒状壁部とガスケットの軸方向一側部との関係を示す第５の例の断面図である。
【図１６】図６におけるブロックの筒状壁部とガスケットの軸方向一側部との関係を示す第６の例の断面図である。
【図１７】図７におけるブロックの筒状壁部とガスケットの軸方向一側部との関係を示す第７の例の断面図である。
【発明を実施するための形態】
【００１９】
本発明に係るブロックへのガスケットの装着構造は、例えば、半導体分野、液晶・有機ＥＬ分野、医療・医薬分野、または、自動車関連分野においてブロックとガスケットとの装着のために使用され得る。
【００２０】
なお、本発明に係るブロックへのガスケットの装着構造は、上述の分野以外の分野においても用途等に応じて適宜使用可能である。
【００２１】
図１は、本発明の一実施形態に係るブロックへのガスケットの装着構造を示す断面図である。図２は、図１の一部拡大図である。
【００２２】
図１、図２に示すように、前記ブロックへのガスケットの装着構造は、ブロック１と筒状のガスケット３とを備えている。そして、ガスケット３は、ブロック１の筒状壁部５に装着されるように構成されている。
【００２３】
ブロック１へのガスケット３の装着時において、ブロック１は、ガスケット３を当該ブロック１の筒状壁部５とこれとは別のブロック７の筒状壁部９との間に介在させた状態で、この別のブロック７と接合される。つまり、ガスケット３は、ブロック１と当該ブロック１に隣り合うブロック７との間に介在することにより、ブロック１・７等の流体機器同士をつなぎ合わせる。
【００２４】
なお、本発明におけるブロックとは、流体流路を有するブロックであればよく、例えば、流体機器の一部をなすブロックであってもよいし、流体機器に適用される当該流体機器とは別体のブロックであってもよい。
【００２５】
このとき、ガスケット３は、ブロック１の第１流体流路１１の一端部に備えられた開口部１３を囲むように設けられる。ガスケット３は、ブロック１のうち第１流体流路１１の開口部１３の周囲に圧接された状態で嵌合される。
【００２６】
詳しくは、ガスケット３は、第１流体流路１１と開口部１３を介して接続される第２流体流路１５を有している。ここで、ガスケット３は、軸方向において対称となる形状に形成されている。
【００２７】
ガスケット３は、円筒状に形成されている。ガスケット３は、軸方向一方にある軸方向一側部１７と、軸方向他方にある軸方向他側部１９と、軸方向一側部１７と軸方向他側部１９との間にある軸方向中途部２１とを有している。
【００２８】
ガスケット３の軸方向一側部１７は、筒状のシール突部２３と、筒状の傾斜突起２５とを有している。ガスケット３のシール突部２３は、ブロック１と略同軸上であり、傾斜突起２５の周囲に位置している。
【００２９】
シール突部２３は、径方向に略一定の厚さを有する円筒状に形成されている。シール突部２３は、ガスケット３の軸方向中途部２１からガスケット３の軸方向一方（下方）へ突出している。
【００３０】
シール突部２３の外周部は、ガスケット３の軸方向一側部１７の外周部をなす。そしてこのシール突部２３の外周部に、外周側接触面２７が設けられている。また、シール突部２３の内周部に、内周側接触面２９が設けられている。
【００３１】
傾斜突起２５は、径方向に所定の厚さを有する円筒状に形成されている。傾斜突起２５は、ガスケット３の軸方向中途部２１からシール突部２３と同一方向（ガスケット３の軸方向一方）へ突出している。
【００３２】
傾斜突起２５は、シール突部２３に対して、ガスケット３の径方向内方に所定間隔を隔てて配置されている。傾斜突起２５は、ガスケット３の軸方向中途部２１に対してシール突部２３の突出長よりも小さい突出長を有している。
【００３３】
傾斜突起２５は、その外径がガスケット３の軸方向中途部２１から軸方向一方へ向かって漸次縮小するように形成されている。こうして、傾斜突起２５の外周部に、傾斜状の外周側接触面３１が設けられている。
【００３４】
また、ガスケット３は、後述の筒状壁部５への圧入時にこの筒状壁部５の一部を弾性変形させ得るように構成されている。
【００３５】
本実施形態におけるガスケット３は、一例として熱可塑性の樹脂であるフッ素樹脂（例えば、パーフルオロアルコキシアルカン（ＰＦＡ）、ポリテトラフルオロエチレン（ＰＴＦＥ））等から形成されているが、使用分野（用途）に応じて、例えばポリプロピレン（ＰＰ）、高密度ポリエチレン（ＨＤＰＥ）、低密度ポリエチレン（ＬＤＰＥ）、または、ポリオキシメチレン（ＰＯＭ）、ゴム（エラストマー）等から構成してもよい。
【００３６】
図３は、ブロック１の筒状壁部５をその軸方向一方（上方）から見た図である。図４は、図３のＩ―Ｉ矢視断面図である。図５は、図４の一部拡大図である。
【００３７】
図３、図４、図５にも示すように、ブロック１は、第１流体流路１１を有している。ブロック１は、第１流体流路１１の開口部１３が外部に露出しており、第１流体流路１１の一端部とガスケット３の第２流体流路１５とが接続される。
【００３８】
第１流体流路１１は、図１に示すように、ブロック１の本体部３５内に設けられている。また、第１流体流路１１は、その一端部がブロック１の筒状壁部５内に位置するように、筒状壁部５内にも設けられている。
【００３９】
筒状壁部５内において、第１流体流路１１は、円形断面流路であり、当該筒状壁部５の軸方向（図１で示す上下方向）に延在している。そして、第１流体流路１１は、開口部１３が筒状壁部５の軸方向一方の端部（上端部）に位置している。
【００４０】
また、筒状壁部５は、円筒状に形成されている。筒状壁部５は、本体部３５から当該筒状壁部５の軸方向一方（上方）へ突出している。筒状壁部５は、その軸方向を上下方向として、第１流体流路１１と同軸上に配置されている。
【００４１】
そして、筒状壁部５は、ガスケット３が第１流体流路１１の開口部１３を囲んだとき、当該筒状壁部５の軸方向一方側（上方側）にガスケット３を圧接させた状態で、このガスケット３と嵌合できるように構成されている。
【００４２】
筒状壁部５は、ガスケット３の軸方向一側部１７（シール突部２３）の外径よりも大きい外径を有している。筒状壁部５は、ガスケット３の軸方向一側部１７の内径に対して略同一の内径を有している。
【００４３】
図６は、ブロック１の筒状壁部５（筒状外壁部３７および筒状内壁部３９）とガスケット３の軸方向一側部１７（特にシール突部２３）との関係を示す断面図である。
【００４４】
図６にも示すように、筒状壁部５は、樹脂製の筒状外壁部３７と、樹脂製の筒状内壁部３９とを有している。これらの筒状外壁部３７および筒状内壁部３９は、それぞれ、第１流体流路１１の開口部１３の径方向外側に設けられている。
【００４５】
詳しくは、筒状内壁部３９が、第１流体流路１１の開口部１３の径方向外側（開口部１３の周囲）に設けられている。筒状外壁部３７が、筒状内壁部３９の径方向外側（筒状内壁部３９の周囲）に設けられている。
【００４６】
そして、筒状外壁部３７は、その内側にガスケット３の軸方向一側部１７が圧入されるように構成されている。筒状内壁部３９が、その少なくとも一部がガスケット３の軸方向一側部１７内に圧入されるように構成されている。
【００４７】
すなわち、筒状外壁部３７と筒状内壁部３９とは、当該筒状外壁部３７と当該筒状内壁部３９との間にガスケット３の軸方向一側部１７が圧入されるように構成されている。
【００４８】
ガスケット３の軸方向一側部１７が圧入された状態において、筒状外壁部３７はガスケット３の軸方向一側部１７（シール突部２３）に対して径方向外側に位置し、筒状内壁部３９はガスケット３の軸方向一側部１７（シール突部２３）に対して径方向内側に位置することになる。
【００４９】
より詳しくは、筒状外壁部３７は、その内側にシール突部２３を受け入れることができる形状を有している。筒状外壁部３７は、筒状壁部５の軸方向一方（上方）に開口するように、筒状壁部５に設けられている。
【００５０】
筒状外壁部３７は、筒状壁部５の基部４１から上方に向かって突出している。そして、筒状外壁部３７の突出端面（上端面）４３が、第１流体流路１１の開口部１３の周囲に配置されている。この突出端面４３は平坦状に形成されている。
【００５１】
筒状外壁部３７は、径方向に略一定の厚さを有する円筒状に形成されている。本実施形態において、筒状外壁部３７は、シール突部２３の外径に対して略同一の内径を有している。
【００５２】
そして、筒状外壁部３７は、その径方向に弾性変形可能に構成されている。筒状外壁部３７は、その内側に圧入されるシール突部２３（ガスケット３の軸方向一側部１７）により弾性変形させられる。
【００５３】
筒状外壁部３７は、シール突部２３の圧入のために、このシール突部２３の形状に応じて当該筒状外壁部３７の周方向一部がその他の周方向一部とは独立して移動するように径方向に弾性変形し得る。
【００５４】
たとえば、シール突部２３の形状が断面真円筒形状であるのに対し、筒状外壁部３７の形状が断面真円筒形状に形成されていない場合には、シール突部２３の形状にあわせて筒状外壁部３７の周方向一部が径方向外側に弾性変形しかつその他の周方向一部が径方向内側に弾性変形し得る。
【００５５】
本実施形態においては、図５に示す筒状外壁部３７の厚さＴ１は、１．２４ｍｍ〜１４．６ｍｍの範囲内の値に設定されている。ここで、筒状外壁部３７の厚さＴ１とは、この筒状外壁部３７の周方向一部における径方向長さを指す。
【００５６】
また、筒状外壁部３７の厚さＴ１は、シール突部２３を圧入する筒状外壁部３７の領域のうち軸方向の略全域にわたって略一定に設定されている。なお、シール突部２３の外径は軸方向において略一定に設定されている。
【００５７】
また、本実施形態において、図５に示す筒状外壁部３７の軸方向長さＬ１は、１．８ｍｍ〜１２．４ｍｍの範囲内の値に設定されている。ここで、筒状外壁部３７の軸方向長さＬ１とは、筒状外壁部３７と基部４１との境界に設定した基準面４５からの突出長である。
【００５８】
この基準面４５は、筒状壁部５（筒状外壁部３７および筒状外壁部３７）の軸方向と直交する面である。基準面４５は、筒状外壁部３７と基部４１との境界および筒状外壁部３７と基部４１との境界に存在する。
【００５９】
また、本実施形態において、図４に示す筒状外壁部３７の内径Ｄ１は、５ｍｍ〜６０ｍｍの範囲内の値に設定されている。そして、筒状外壁部３７の内径Ｄ１をａとし、筒状外壁部３７の厚さＴ１をｂとした場合に、筒状外壁部３７の内径Ｄ１と筒状外壁部３７の厚さＴ１とがそれぞれ以下の式（１）および式（２）で規定される範囲（図７における範囲４７）内の値に設定される。
（１）ｂ＝０．１７×ａ＋４．４
（２）ｂ＝０．０８×ａ＋０．８４
【００６０】
また、本実施形態において、筒状外壁部３７の軸方向長さＬ１をｃとした場合に、筒状外壁部３７の内径Ｄ１と筒状外壁部３７の軸方向長さＬ１とがそれぞれ以下の式（３）および式（４）で規定される範囲（図８における範囲４９）内の値に設定される。
（３）ｃ＝０．１７×ａ＋２．２
（４）ｃ＝０．１×ａ＋１．３
【００６１】
また、本実施形態において、筒状外壁部３７は、２００ＭＰａ〜３２００ＭＰａの弾性率を有する樹脂材料から構成されている。また、筒状外壁部３７は、３００ＭＰａ〜２６００ＭＰａの弾性率を有する樹脂材料から構成されていることが好ましく、３１０ＭＰａ〜６００ＭＰａの弾性率を有する樹脂材料から構成されていることがより好ましい。ここで、前記樹脂材料の弾性率は、JIS  K  7161またはASTM  D638に記載の方法にて測定された値である。筒状外壁部３７は、例えば、ＰＦＡ（パーフルオロアルコキシアルカン）、ＰＴＦＥ（ポリテトラフルオロエチレン）を含む熱可塑性の樹脂であるフッ素樹脂から構成され得る。
【００６２】
なお、筒状外壁部３７は、使用分野（用途）に応じて、ＰＰ（ポリプロピレン）、ＨＤＰＥ（高密度ポリエチレン）、ＬＤＰＥ（低密度ポリエチレン）、または、ＰＯＭ（ポリオキシメチレン）樹脂等の樹脂材料から構成することも可能である。
【００６３】
また、筒状内壁部３９は、その軸方向における少なくとも一部がシール突部２３に受け入れられることができるようになっている。筒状内壁部３９は、筒状壁部５の軸方向一方（上方）に開口するように、筒状壁部５に設けられている。
【００６４】
筒状内壁部３９は、筒状壁部５の基部４１から上方に向かって突出している。そして、筒状内壁部３９の突出端面（上端面）５１が、第１流体流路１１の開口部１３の周囲に配置されている。この突出端面５１は平坦状に形成されている。
【００６５】
筒状内壁部３９は、径方向に所定の厚さを有する円筒状に形成されている。本実施形態において、筒状内壁部３９は、シール突部２３の内径よりも大きい外径と、傾斜突起２５の内径に対して略同一の内径とを有している。
【００６６】
筒状内壁部３９は、筒状外壁部３７に対して、筒状壁部５の径方向内方に所定間隔を隔てて配置されている。筒状外壁部３７は、筒状内壁部３９に囲まれた状態で、この筒状内壁部３９と略同軸上に配置されている。
【００６７】
筒状内壁部３９には、傾斜状の内周側接触面５３が設けられている。内周側接触面５３は、基部４１の上端に位置し、基部４１側から軸方向一方（上方）へ向かって漸次拡大するように形成される突出端部である。
【００６８】
筒状内壁部３９の内周側接触面５３は、傾斜突起２５の外周側接触面３１と対向し得る。内周側接触面５３は、外周側接触面３１に圧接することができるように、外周側接触面３１の傾斜度合いに応じた傾斜度合いを有している。
【００６９】
具体的には、第１流体流路１１の軸線（筒状内壁部３９の軸線）に対する内周側接触面５３の傾斜角度と第２流体流路１５の軸線（傾斜突起２５の軸線）に対する外周側接触面３１の傾斜角度との関係は、互いの傾斜角度が異なるものである。
【００７０】
本実施形態においては、内周側接触面５３の傾斜角度が、外周側接触面３１の傾斜角度よりも大きく設定されている。なお、内周側接触面５３の傾斜角度と外周側接触面３１の傾斜角度との関係は、互いの傾斜角度が略同じとなるものであってもよい。
【００７１】
そして、筒状内壁部３９は、その径方向に弾性変形可能に構成されている。筒状内壁部３９は、その軸方向における少なくとも一部を圧入したシール突部２３（ガスケット３の軸方向一側部１７）により弾性変形させられる。
【００７２】
筒状内壁部３９は、シール突部２３内への圧入のため、シール突部２３の形状に応じて当該筒状内壁部３９の周方向一部がその他の周方向一部とは独立して移動するように径方向に弾性変形し得る。
【００７３】
たとえば、シール突部２３の形状が断面真円筒形状であるのに対し、筒状内壁部３９の形状が断面真円筒形状に形成されていない場合には、シール突部２３の形状にあわせて筒状内壁部３９の周方向一部が径方向外側に弾性変形しかつその他の周方向一部が径方向内側に弾性変形し得る。
【００７４】
本実施形態においては、図５に示す筒状内壁部３９の厚さＴ２は、０．７２ｍｍ〜６ｍｍの範囲内の値に設定されている。ここで、筒状内壁部３９の厚さＴ２とは、この筒状内壁部３９の周方向一部における径方向長さを指す。
【００７５】
また、筒状内壁部３９の厚さＴ２は、シール突部２３内へ圧入される筒状内壁部３９の領域であって、軸方向の略全域にわたって略一定に設定されている。なお、シール突部２３の内径は軸方向において略一定に設定されている。
【００７６】
また、本実施形態において、図５に示す筒状内壁部３９の軸方向長さＬ２は、１．７６ｍｍ〜１３．２ｍｍの範囲内の値に設定されている。ここで、筒状内壁部３９の軸方向長さＬ２とは、筒状外壁部３７と基部４１との境界に設定した基準面４５からの突出長である。
【００７７】
筒状内壁部３９の突出長（軸方向長さＬ２）は、傾斜突起２５の外周側接触面３１と筒状内壁部３９の内周側接触面５３との接触度合いを考慮すれば、本実施形態においては筒状外壁部３７の突出長（軸方向長さＬ１）よりも小さく設定している（Ｌ２＜Ｌ１）ことが好ましい。ただし、筒状外壁部３７の突出長に対して同一に設定すること（Ｌ２＝Ｌ１）や、筒状内壁部３９の突出長（軸方向長さＬ２）を筒状外壁部３７の突出長（軸方向長さＬ１）よりも大きく設定すること（Ｌ２＞Ｌ１）も可能である。
【００７８】
また、本実施形態において、図４に示す筒状内壁部３９の内径Ｄ２は、２ｍｍ〜５０ｍｍの範囲内の値に設定されている。そして、筒状内壁部３９の内径Ｄ２をｅとし、筒状内壁部３９の厚さＴ２をｆとした場合に、筒状内壁部３９の内径Ｄ２と筒状内壁部３９の厚さＴ２とがそれぞれ以下の式（５）および式（６）で規定される範囲（図９における範囲５５）内の値に設定される。
（５）ｆ＝０．１０×ｅ＋１．０
（６）ｆ＝０．０６×ｅ＋０．６
【００７９】
また、本実施形態において、筒状内壁部３９の軸方向長さＬ２をｇとした場合に、筒状内壁部３９の内径Ｄ２と筒状内壁部３９の軸方向長さＬ２とがそれぞれ以下の式（７）および式（８）で規定される範囲（図１０における範囲５７）内の値に設定される。
（７）ｇ＝０．２１×ｅ＋２．７
（８）ｇ＝０．１３×ｅ＋１．５
【００８０】
また、本実施形態において、筒状内壁部３９は、２００ＭＰａ〜３２００ＭＰａの弾性率を有する樹脂材料から構成されている。なお、ここでの弾性率についても、上述と同様の方法で測定される。筒状内壁部３９は、例えば、ＰＦＡ、ＰＴＦＥを含むフッ素樹脂から構成され得る。
【００８１】
なお、筒状外壁部３７は、使用分野（用途）に応じて、ＰＰ（ポリプロピレン）、ＨＤＰＥ（高密度ポリエチレン）、ＬＤＰＥ（低密度ポリエチレン）、または、ＰＯＭ（ポリオキシメチレン）樹脂等の樹脂材料から構成することも可能である。
【００８２】
また、これらのことから換言すれば、本実施形態においては、筒状外壁部３７および筒状内壁部３９は、それらの間にシール突部２３（ガスケット３の軸方向一側部１７）を圧入することができるように構成されている。
【００８３】
詳しくは、筒状外壁部３７と筒状内壁部３９との間に、溝部６１が形成されている。溝部６１は、筒状壁部５における有底状の溝であり、筒状外壁部３７および筒状内壁部３９の各々の軸方向一方（上方）に向かって開口している。
【００８４】
溝部６１は、筒状内壁部３９の突出端部側に開口部６３を備え、筒状内壁部３９の突出基端部側に底部６５を備えている。そして、溝部６１は、開口部６３を通じてシール突部２３を圧入することができるようになっている。
【００８５】
溝部６１は、円環状に形成されている。溝部６１は、図６に示すように、互いに略平行に配置された筒状外壁部３７と筒状内壁部３９との間において、径方向に略一定の溝幅Ｗ１を有している。
【００８６】
一方、開口部６３は、筒状内壁部３９の軸方向一方側ほど溝幅Ｗ１が大きく設定されている。これは、筒状内壁部３９の外周部が突出端面５１付近で傾斜状に形成されることにより実現されている。
【００８７】
図６に示すように、溝部６１の溝幅Ｗ１は、シール突部２３の厚さＴ３よりも小さく設定されている。この溝幅Ｗ１は、溝部６１にシール突部２３を圧入することができるように適宜設定され得る。
【００８８】
溝部６１の溝幅Ｗ１は、筒状外壁部３７および筒状内壁部３９の各々の軸方向の略全域にわたって略一定に設定されている。ここで、溝部６１の溝幅Ｗ１とは、この溝部６１の周方向一部における径方向長さを指す。
【００８９】
シール突部２３の厚さＴ３は、シール突部２３の軸方向の略全域にわたって略一定に設定されている。ここで、シール突部２３の厚さＴ３とは、このシール突部２３の周方向一部における径方向長さを指す。
【００９０】
そして、溝部６１を介して径方向に所定間隔を隔てて配置された筒状外壁部３７と筒状内壁部３９とに関して、筒状内壁部３９の厚さＴ２が、筒状外壁部３７の厚さＴ１よりも小さく設定されている。
【００９１】
詳しくは、前述のように、筒状内壁部３９の厚さＴ２が、０．７２ｍｍ〜６ｍｍの範囲内の値に設定される。そして、筒状外壁部３７の厚さＴ１をｂとし、筒状内壁部３９の厚さＴ２をｆとした場合に、筒状外壁部３７の厚さＴ１と筒状内壁部３９の厚さＴ２とがそれぞれは以下の式（９）及び式（１０）で規定される範囲（図１１における範囲６７）内の値とされる。
（９）ｂ＝２．４１×ｆ＋０．２４
（１０）ｂ＝１．４５×ｆ＋０．１４
【００９２】
ここで、筒状外壁部３７の厚さおよび筒状内壁部３９の厚さは、筒状内壁部３９の厚さが筒状外壁部３７の厚さよりも小さくなるように適宜設定され得る。
【００９３】
以上の構成により、ガスケット３の軸方向一側部１７（シール突部２３）をブロック１の筒状壁部５の筒状外壁部３７内に圧入するとともに、筒状内壁部３９の軸方向における少なくとも一部をシール突部２３内に圧入し、換言すれば、シール突部２３を筒状外壁部３７と筒状内壁部３９との間（溝部６１）に圧入し、これによりガスケット３をブロック１に装着することが可能となる。
【００９４】
そしてその装着時には、ガスケット３側のシール突部２３の外周側接触面２７をブロック１側の筒状外壁部３７の内周側接触面７１に圧接することが可能となるとともに、このシール突部２３の内周側接触面２９をブロック１側の筒状内壁部３９の外周側接触面７３に圧接することが可能となる。また、ブロック１と別のブロック７との接合により、ガスケット３側の傾斜突起２５の外周側接触面３１を筒状内壁部３９の内周側接触面５３に圧接することも可能となる。
【００９５】
したがって、ブロック１へのガスケット３の装着構造において、シール突部２３と筒状外壁部３７および筒状内壁部３９の各々との間に径方向に作用するシール力を発生させて、シール突部２３と筒状外壁部３７および筒状内壁部３９の各々との間をシールすることができる。また、傾斜突起２５と筒状内壁部３９との間に軸方向に作用するシール力を発生させて、傾斜突起２５と筒状内壁部３９との間をシールすることもできる。
【００９６】
しかも、シール突部２３と筒状外壁部３７および筒状内壁部３９の少なくとも一方との圧入を行う際には、ガスケット３側のシール突部２３によって、ブロック１側の筒状外壁部３７およびと筒状内壁部３９の少なくとも一方を、このシール突部２３の形状に応じて径方向に弾性変形させることが可能となる。そのため、シール突部２３に対してこれと圧入を行う筒状外壁部３７および筒状内壁部３９の各々の追従性を高めることができる。
【００９７】
すなわち、シール突部２３の径方向の形状とこのシール突部２３を受け入れる筒状外壁部３７の径方向の形状とに大きな差異があっても、筒状外壁部３７の径方向内の形状がシール突部２３の径方向の形状にできるだけ合致するように、筒状外壁部３７をその径方向に弾性変形させることが可能となる。そのため、シール突部２３に対して筒状外壁部３７の追従性を高めることが可能となる。
【００９８】
また、筒状内壁部３９の径方向の形状とこれを受け入れるシール突部２３の径方向の形状に大きな差異があっても、筒状内壁部３９の径方向の形状がシール突部２３の径方向の形状にできるだけ合致するように、筒状内壁部３９をその径方向に弾性変形させることが可能となる。そのため、シール突部２３に対して筒状内壁部３９の追従性を高めることが可能となる。
【００９９】
したがって、シール突部２３と筒状外壁部３７および筒状内壁部３９の少なくとも一方との圧入を円滑に行い、その圧入の完了後にはシール突部２３と筒状外壁部３７および筒状内壁部３９の少なくとも一方とをそれらの圧接部分において略周方向全域にわたって略均一の力で圧接させることができる。よって、ブロック１へのガスケット３の装着時のシール性能を向上させることができる。
【０１００】
なお、本発明における筒状壁部は、本実施形態においては筒状外壁部３７と筒状内壁部３９とからなるものとしているが、これに限定するものではなく、筒状外壁部のみからなるものとしてもよい。
【０１０１】
なお、本発明における筒状壁部は、本実施形態においては筒状外壁部３７と筒状内壁部３９とからなるものとしているが、これに限定するものではなく、筒状内壁部３９のみからなるものとしてもよい。
【０１０２】
また、本実施形態においてはブロック１へのガスケット３の装着構造と同様の構造を、図１に示すように、別のブロック７へのガスケット３の装着構造にも適用可能としているが、これに限定するものではなく、ブロック７以外の機器としてレギュレータ、圧力計、バルブ、流量計、樹脂チューブ等を接続してもよい。
【０１０３】
図１２〜図１７の各々の図は、ブロック１の筒状壁部５（筒状外壁部３７および筒状内壁部３９）とガスケット３の軸方向一側部１７（特にシール突部２３）との関係を示す他の例の断面図である。
【０１０４】
ブロック１の筒状壁部５とガスケット３の軸方向一側部１７とは、これらが前述の厚さ等の条件を満たすのであれば、図６に示すような関係に代えて、図１２７〜図１２７のいずれか一つに示すような関係をもつものとしてもよい。
【０１０５】
すなわち、図１２、図１３に示すように、筒状壁部５とシール突部２３との圧入を行うときのつぶし代が増すように、このシール突部２３を軸方向一方（下方）側ほど厚さが細くなるテーパ形状に形成してもよい。
【０１０６】
たとえば、図１２に示すように、シール突部２３の厚さを、前述の厚さＴ３以上に設定する。そして、シール突部２３を、その内径がガスケット３の軸方向中途部２１から軸方向一方（下方）へ向かって漸次拡大するように形成する。
【０１０７】
あるいは、図１３に示すように、図１２に示すような場合と同様に形成したうえで、シール突部２３を、その外径がガスケット３の軸方向中途部２１から軸方向一方へ向かって漸次縮小するように形成する。
【０１０８】
また、図１４、図１５に示すように、筒状壁部５とシール突部２３との圧入を行うときのつぶし代が増すように、溝部６１を軸方向において底部６５側ほど溝幅が小さくなるテーパ形状に形成してもよい。
【０１０９】
たとえば、図１４に示すように、溝部６１の溝幅を、前述の溝幅Ｗ１以上に設定する。そして、筒状内壁部３９を、その軸方向他方（下方）側の外径が突出端面５１側から基準面４５（基部４１）側へ向かって漸次拡大するように形成する。
【０１１０】
あるいは、図１５に示すように、図１４に示すような場合と同様に形成したうえで、筒状外壁部３７を、その内径が突出端面４３側から基準面４５（基部４１）側へ向かって漸次縮小するように形成する。
【０１１１】
また、図１６、図１７に示すように、シール突部２３および溝部６１を、前述のように、それぞれテーパ形状に形成してもよい。この場合、例えば、図１２と図１４との組合せのような構成を採用したり、図１３と図１５との組合せのような構成を採用したりすることができる。
【０１１２】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【０１１３】
１    ブロック
３    ガスケット
５    筒状壁部
１１  第１流体流路（ブロックの流体流路）
１３    開口部
１７  ガスケットの軸方向一側部
３７  筒状外壁部（筒状壁部）
３９  筒状内壁部（筒状壁部）
Ｄ１  筒状外壁部の内径
Ｄ２  筒状内壁部の内径
Ｌ１  筒状外壁部の軸方向長さ
Ｌ２  筒状内壁部の軸方向長さ
Ｔ１  筒状外壁部の厚さ
Ｔ２  筒状内壁部の厚さ
【図１】
2019143783.tif 000003
【図２】
2019143783.tif 000004
【図３】
2019143783.tif 000005
【図４】
2019143783.tif 000006
【図５】
2019143783.tif 000007
【図６】
2019143783.tif 000008
【図７】
2019143783.tif 000009
【図８】
2019143783.tif 000010
【図９】
2019143783.tif 000011
【図１０】
2019143783.tif 000012
【図１１】
2019143783.tif 000013
【図１２】
2019143783.tif 000014
【図１３】
2019143783.tif 000015
【図１４】
2019143783.tif 000016
【図１５】
2019143783.tif 000017
【図１６】
2019143783.tif 000018
【図１７】
2019143783.tif 000019